(57)【要約】【課題】装着や取外しを簡略化しつつ、ゴルフバッグ内でのゴルフクラブの保持状態を高めることにより、移動の際、クラブが傷付いたりバッグ内を損傷したりすることを防ぐと共に、クラブの種類による管理や出し入れを容易に行うことができるゴルフクラブ用保持具を提供する。【解決手段】複数のゴルフクラブを種類別に保持するゴルフクラブ用保持具１である。このゴルフクラブ用保持具１は、長尺状の保持具本体２と、該保持具本体２に装着された複数のシャフト保持部３とを備え、好ましくは保持具本体２に、シャフト保持部３からゴルフクラブを取り外すための操作紐２０を設ける。【選択図】図１
0003134816.tif 000002
【実用新案登録請求の範囲】
【請求項１】
複数のゴルフクラブを種類別に保持するゴルフクラブ用保持具において、
長尺状の保持具本体と、該保持具本体に装着された複数のシャフト保持部とを備えることを特徴とするゴルフクラブ用保持具。
【請求項２】
前記シャフト保持部からゴルフクラブを取り外すための操作紐が前記保持具本体に装着されている請求項１記載のゴルフクラブ用保持具。
【請求項３】
前記シャフト保持部がＣ字型状に形成され、その基部に凹部が形成されている請求項１または２記載のゴルフクラブ用保持具。
【請求項４】
前記保持具本体が、シャフトの長さに対応できるよう階段状に傾斜する請求項１〜３のうちいずれか一項記載のゴルフクラブ用保持具。
【請求項５】
前記保持具本体に、他のゴルフクラブを固定するための締結材を設けた請求項１乃至４のうちいずれか一項記載のゴルフクラブ用保持具。
【請求項６】
前記締結材を伸縮性部材にて形成した請求項５記載のゴルフクラブ用保持具。
【考案の詳細な説明】
【技術分野】
【０００１】
本考案は、ゴルフバッグ内に収容される複数のゴルフクラブの安定性を高めると共に、クラブの出し入れを容易に行うことを可能にするゴルフクラブ用保持具に関する。
【背景技術】
【０００２】
一般的に、ウッド、アイアン、パター等からなる複数のゴルフクラブは、上部に開口部を有する筒状のゴルフバッグ内に収容される。通常ゴルフバッグの内部には、クラブの種別管理や衝突回避のため、ゴルフバッグ内を二等分もしくは三等分に区分けする仕切材が設置されている。しかし、仕切材にて区分けされた各室にクラブを収容させた場合、クラブ間に多少の隙間が生じるため、ゴルフバッグを移動する際、クラブ同士が接触してシャフトが傷付いたり、またクラブによりバッグの内壁を損傷したりするといった問題が発生した。
【０００３】
そのため従来、ゴルフアイアンクラブに傷を付けることなく保護し、キャディーバッグから取り出しやすくするゴルフアイアンクラブ整理用具がある（例えば、特許文献１参照）。
上掲特許文献１のゴルフアイアンクラブ整理用具は、左右にある支柱を結ぶフレームにゴルフクラブのアイアンの角度に相当するそれぞれの角度で壁面を用意し、支柱はゴルフバッグの縁に差し込みが出来る形状を有し、フレームの中心付近にフレーム下部から腕片が具備され、保持具の差し込み、保持具を固定する為の取り付けネジで固定し、取り付けネジの中心を基準に位置が変えられ、又、保持具に複数の穴の中から穴を選択することで既存のゴルフバッグの大きさに対応出来、左右の支柱をゴルフバッグに差し込み、保持具の一端をゴルフバッグの縁に差し込み取り付けネジで固定し、アイアンを並べて整理できるようにしたことが記載されている。
【特許文献１】特開２００７−１１１４６０公報（第１頁、図２）
【考案の開示】
【考案が解決しようとする課題】
【０００４】
しかしながら、特許文献１記載のゴルフアイアンクラブ整理用具は、保持具の一端をゴルフバッグの縁に差し込み取り付けネジで固定する構造なので、バッグへの装着や取り外しが面倒であった。また、支柱やサポート具等の多くの部材が必要となり、製造コストの面でも問題があった。その他の従来の既知ゴルフクラブ整理用具においても、バッグへの装着や製造コストの面でも必ずしも満足できるものではなかった。
【０００５】
そこで本考案の目的は、装着や取外しを簡略化しつつ、ゴルフバッグ内でのゴルフクラブの保持状態を高めることにより、移動の際、クラブが傷付いたりバッグ内を損傷したりすることを防ぐと共に、クラブの種類による管理や出し入れを容易に行うことができるゴルフクラブ用保持具を提供することにある。
【課題を解決するための手段】
【０００６】
上記課題を解決するために本考案のゴルフクラブ用保持具は、複数のゴルフクラブを種類別に保持するゴルフクラブ用保持具において、
長尺状の保持具本体と、該保持具本体に装着された複数のシャフト保持部とを備えることを特徴とするものである。
【０００７】
本考案のゴルフクラブ用保持具において、前記シャフト保持部からゴルフクラブを取り外すための操作紐が前記保持具本体に装着されていることが好ましい。また、前記シャフト保持部がＣ字型状に形成され、その基部に凹部が形成されていることが好ましい。さらに、前記保持具本体が、シャフトの長さに対応できるよう階段状に傾斜するようにしてもよい。さらにまた、前記保持具本体に、他のゴルフクラブと固定するための締結材を設けてもよい。さらにまた、前記締結材を伸縮性部材にて形成することが好ましい。
【考案の効果】
【０００８】
保持具本体に複数のシャフト保持部を装着したことで、ゴルフクラブを種類別に保持管理することができる。また保持具本体に操作紐を設けることで、シャフト保持部からゴルフクラブを容易に取り外すことができる。
【０００９】
さらに、前記保持具本体を、シャフトの長さに対応できるよう階段状に傾斜させることで、異なる長さのゴルフクラブにおいても効率よく保持することができる。さらにまた、前記保持具本体に、他のゴルフクラブと締結する締結材を設けることにより、ゴルフバッグ内での保持具本体の安定性を高めることができる。
【考案を実施するための最良の形態】
【００１０】
以下、本発明のゴルフクラブ用保持具における実施の形態を図面に基づいて説明する。
【００１１】
図１に示す本考案の一実施形態に係るゴルフクラブ用保持具１は、長尺状の保持具本体２と、かかる保持具本体２に装着された複数のシャフト保持部３と、前記保持具本体２に装着される、シャフト保持部３からゴルフクラブを取り外す操作紐２０とを備える。
【００１２】
これにより、複数のゴルフクラブ、特にアイアンクラブを種類別に保持することができ、移動の際、クラブが傷付いたりバッグ内を損傷したりすることを防ぐと共に、クラブの種類による管理や出し入れを簡便化することができる。
【００１３】
保持具本体２は、成型が容易なプラスチック等の素材で形成されており、例えば、約１５０ｃｍ程度の長さを有する長尺状に形成されている。また、保持具本体２の側面には、複数（図中４個）のシャフト保持部３が装着される。保持具本体２およびシャフト保持部３は一体成型により一体的に製造することができる。この際、その材質としては弾性変形し得るエンジニアリングプラスチック等のプラスチック、例えば、超高分子量ポリエチレン、塩化ビニル等を用いることができる。さらに、保持具本体２の上面には、保持するゴルフクラブ（アイアンクラブ）の番手を示す表示部６が装着されている。
【００１４】
シャフト保持部３は、ゴルフクラブのシャフト部分を両側から保持できるＣ字形状を呈しており、先方には挿入部４が設けられている。シャフト保持部３は、保持具本体２の側面に等間隔に複数設置されている。
【００１５】
保持具本体２には、シャフト保持部３からゴルフクラブを取り外す操作紐２０が装着されている。この操作紐２０は、リング状の連結具１０を介して保持具本体２両端の開孔部８に着脱自在に連結されていることが好ましい。保持具本体２に操作紐２０を設けることで、図４に示すように、操作紐２０を矢印方向に引くことにより、シャフト保持部３からゴルフクラブＡを容易に取り外すことができる。なお、操作紐２０は、強度と高級感を有するチェーンにて形成することが望ましい。
【００１６】
また、他の好適例として、図２に示すように、シャフト保持部３の基部に凹部５を形成することが好ましい。基部に凹部５を形成することにより、シャフト保持部３の弾性が高まり、太さの異なるクラブでも好適に保持することができる。
【００１７】
さらに、本考案の他の好適例として、図３に示すように、保持具本体２に段部７を設け、異なる長さのゴルフクラブに対応できるよう階段状に傾斜させてもよい。かかる段部７は、図中、６段設けられている。保持具本体２に段部７を設けたことにより、異なる長さのゴルフクラブを効率よく保持することができる。また、シャフト保持部３に位置する段部７の上面には、保持するゴルフクラブ（アイアンクラブ）の番手を表す表示部９が設けられている。
【００１８】
さらにまた、他の好適例として、保持具本体２に、他のゴルフクラブと締結する締結材２１を設けてもよい。かかる締結材２１は紐状を呈しており、図５に示すように、金具等の連結具１１を介して保持具本体２の両端に着脱自在に装着される。保持具本体２に締結材２１を設けることにより、締結材２１の一端を連結具１１から取り外し、ゴルフバッグ２３内の他のゴルフクラブ、好ましくは複数のウッドに巻回させ、再度締結材２１の一端を保持具本体２に締結することで、アイアンクラブＡと保持具本体２の安定性、さらにはウッドの保持が可能となる。なお、締結材２１の保持具本体２への連結手段としては、金具に換えて面ファスナー等の結合要素を用いてもよい。
【００１９】
また、締結材２１は、伸縮性部材からなる伸縮性締結材２２とすることが望ましい。伸縮性締結材２２は金具等の連結具１１により保持具本体２両端に着脱自在に装着されることが好ましい。これにより、伸縮性締結材２２を任意に伸縮させることができ、他のゴルフクラブへの締結が向上し、保持具本体２のより高い安定性が得られる。なお、伸縮性締結材２２の保持具本体２への連結手段としては、金具に換えて面ファスナー等の結合要素を用いてもよい。
【００２０】
次に、本発明のゴルフクラブ用保持具における使用方法を説明する。
図７においては、長尺水平状の保持具本体２に、表示部９に合った番手のアイアンクラブＡ（１番アイアンから４番アイアン）４本をシャフト保持部３に保持させた状態を示す。この際、保持具本体２に装着された締結材２１の一端を取り外し、他のクラブ、例えば複数のウッドＢを巻回するように締結し、再度締結材２１の一端を保持具本体２に装着する。これにより、保持具本体２の安定性が高まり、さらに複数のウッドＢの保持も可能になる。
【００２１】
図８においては、段部７を有する保持具本体２に、表示部９に合った番手のアイアンクラブＡ（５番アイアンからピッチングウェッジ）６本をシャフト保持部３に保持させた状態を示す。これにより、長さの異なるゴルフクラブにおける効率よい保持や管理ができ、また、クラブの出し入も容易に行うことができる。また、保持具本体２に装着された締結材２１の一端を取り外し、他のクラブ、例えば複数のウッドＢを巻回するように締結し、再度締結材２１の一端を保持具本体２に装着することにより、アイアンクラブＡと保持具本体２の安定性が向上し、さらに複数のウッドＢの保持も可能になる。
【図面の簡単な説明】
【００２２】
【図１】本発明のゴルフクラブ用保持具の全体斜視図である。
【図２】シャフト保持部の平面図である。
【図３】段部を有するゴルフクラブ用保持具の全体斜視図である。
【図４】シャフト保持部からゴルフクラブを取り外す状態を示す斜視図である。
【図５】保持具本体に装着される締結材を示す斜視図である。
【図６】保持具本体に装着される伸縮性締結材を示す斜視図である。
【図７】本発明のゴルフクラブ用保持具の使用状態を示す斜視図である。
【図８】前記ゴルフクラブ用保持具の他の使用状態を示す斜視図である。
【符号の説明】
【００２３】
１    ゴルフクラブ用保持具
２    保持具本体
３    シャフト保持部
４    挿入部
５    凹部
６    表示部
７    段部
８    開孔部
９    表示部
１０  連結具
１１  連結具
２０  操作紐
２１  締結材
２２  伸縮性締結材
２３  ゴルフバッグ
Ａ    アイアンクラブ
Ｂ    ウッドクラブ
【図１】
0003134816.tif 000003
【図２】
0003134816.tif 000004
【図３】
0003134816.tif 000005
【図４】
0003134816.tif 000006
【図５】
0003134816.tif 000007
【図６】
0003134816.tif 000008
【図７】
0003134816.tif 000009
【図８】
0003134816.tif 000010